(57)【要約】【課題】  簡易な構成で複数種類の板状ワークの切り出しに対応することができる切り出し装置を提供する。【解決手段】  密着した複数枚の板状ワーク１，１…を垂直且つ切り出し方向と平行な状態で載置する傾斜したスライドプレート２と、スライドプレート２の下端に隣接する切り出し方向と平行なガイドプレート３と、ガイドプレート３に密着した複数枚の板状ワーク１，１…を所定圧で押圧する押圧手段４と、押圧手段４により押圧されてガイドプレート３に面接触する先頭の板状ワーク１を支持すると共にガイドプレート３に沿って切り出し位置８まで押し出す切り出しプレート５と、切り出しプレート５を所定の押圧力と速度で押し出すシリンダ６と、シリンダ６が切り出しプレート５を介して押し出す先頭の板状ワーク１だけが通過する切り出し出口７を備える。【選択図】        図１
2008290802.tif 000002
【特許請求の範囲】
【請求項１】
密着した複数枚の板状ワークの端から１枚ずつ板状ワークを切り出す方法であって、密着した複数枚の板状ワークを垂直且つ切り出し方向と平行な状態にして傾斜面に載置し、次いでこの傾斜面に平行で且つ切り出し方向に垂直な荷重を前記密着した複数枚の板状ワークに掛けて切り出し方向と平行なガイド面に端の板状ワークを面接触させ、次いでこの端の板状ワークをガイド面と平行な方向に押し出して切り出し位置まで切り出すことを特徴とする切り出し方法。
【請求項２】
密着した複数枚の板状ワークの端から１枚ずつ板状ワークを切り出す装置であって、密着した複数枚の板状ワークを垂直且つ切り出し方向と平行な状態で載置する傾斜したスライドプレートと、このスライドプレートの下端に隣接する切り出し方向と平行なガイドプレートと、このガイドプレートに前記密着した複数枚の板状ワークを所定圧で押圧する押圧手段と、この押圧手段により押圧されて前記ガイドプレートに面接触する端の板状ワークを支持すると共に前記ガイドプレートに沿って切り出し位置まで押し出す切り出しプレートと、この切り出しプレートを所定の押圧力で押し出すシリンダと、このシリンダが前記切り出しプレートを介して押し出す端の板状ワークだけが通過する切り出し出口を備えることを特徴とする切り出し装置。
【請求項３】
前記押圧手段は、前記スライドプレート上を移動自在な錘からなる請求項２記載の切り出し装置。
【発明の詳細な説明】
【技術分野】
【０００１】
本発明は、密着した複数枚の板状ワークの端から１枚ずつ板状ワークを所定の位置まで切り出す方法及びその装置に関する。
【背景技術】
【０００２】
従来の切り出し装置としては、積層された複数のリングを保持機構により保持し、この保持機構によって保持された複数のリングを切り出し機構により積層された最下部から順に押圧して切り出す装置が知られている（例えば、特許文献１参照）。
また、板材移載ステーションに隣接して板材ストック装置を設け、この板材ストック装置が積層された複数の板材の最上位の板材のみを板材移載ステーションに払い出す切り出し装置が知られている（例えば、特許文献２参照）。
【０００３】
【特許文献１】特願２００６−３２６７７０号公報
【特許文献２】特開平１−１３３８２７号公報
【発明の開示】
【発明が解決しようとする課題】
【０００４】
しかし、前者の技術のように、積層された板状ワークの最下部から順に板状ワークの切り出しを行う方式では、自重により切り出しの際に板状ワークに傷が付き易いし、自重の変化と共に切り出し力も変化して一定の力で切り出しができないという問題がある。更に、板状ワークの形状の変化に対応するためには、装置の改造が必要となる。
また、後者の技術のように、積層された複数の板材の最上位の板材のみを切り出す方式では、防錆油により板材同士が貼り付いた状態になっていると、引き離す力が必要であるし、２枚目を確実に固定しておかないと２枚目も付いてくるという問題がある。
【０００５】
本発明は、従来の技術が有するこのような問題点に鑑みてなされたものであり、その目的とするところは、簡易な構成で複数種類の板状ワークの切り出しに対応することができる切り出し方法及びその装置を提供しようとするものである。
【課題を解決するための手段】
【０００６】
上記課題を解決すべく請求項１に係る発明は、密着した複数枚の板状ワークの端から１枚ずつ板状ワークを切り出す方法であって、密着した複数枚の板状ワークを垂直且つ切り出し方向と平行な状態にして傾斜面に載置し、次いでこの傾斜面に平行で且つ切り出し方向に垂直な荷重を前記密着した複数枚の板状ワークに掛けて切り出し方向と平行なガイド面に端（先頭）の板状ワークを面接触させ、次いでこの端（先頭）の板状ワークをガイド面と平行な方向に押し出して切り出し位置まで切り出すものである。
【０００７】
請求項２に係る発明は、密着した複数枚の板状ワークの端から１枚ずつ板状ワークを切り出す装置であって、密着した複数枚の板状ワークを垂直且つ切り出し方向と平行な状態で載置する傾斜したスライドプレートと、このスライドプレートの下端に隣接する切り出し方向と平行なガイドプレートと、このガイドプレートに前記密着した複数枚の板状ワークを所定圧で押圧する押圧手段と、この押圧手段により押圧されて前記ガイドプレートに面接触する端（先頭）の板状ワークを支持すると共に前記ガイドプレートに沿って切り出し位置まで押し出す切り出しプレートと、この切り出しプレートを所定の押圧力で押し出すシリンダと、このシリンダが前記切り出しプレートを介して押し出す端（先頭）の板状ワークだけが通過する切り出し出口を備えるものである。
【０００８】
請求項３に係る発明は、請求項２記載の切り出し装置において、前記押圧手段は、前記スライドプレート上を移動自在な錘（ウェイト）からなるものである。
【発明の効果】
【０００９】
請求項１に係る発明によれば、密着した複数枚の板状ワークの端から１枚ずつ板状ワークを容易に切り出すことができる。また、形状の異なる複数種類の板状ワークの切り出しにも対応できる。
【００１０】
請求項２に係る発明によれば、簡易な構成で、密着した複数枚の板状ワークの端から１枚ずつ板状ワークを容易に切り出すことができる。また、形状の異なる複数種類の板状ワークの切り出しにも、改造することなく対応できる。
【００１１】
請求項３に係る発明によれば、重力を利用した簡易な方法で、押圧手段を構成することができる。
【発明を実施するための最良の形態】
【００１２】
以下に本発明の実施の形態を添付図面に基づいて説明する。ここで、図１は本発明に係る切り出し装置の概要斜視図、図２は同じく正面図、図３は密着した複数枚の板状ワークと切り出しプレートとの関係を示す斜視図、図４はガイドプレートと切り出しプレートの作用説明図、図５は板状ワークが切り出された状態を示す概要斜視図である。
【００１３】
本発明に係る切り出し装置、図１及び図２に示すように、防錆油が塗布されて密着状態の複数枚の板状ワーク１，１…を載置するスライドプレート２と、スライドプレート２の一端（下端）２ａに隣接するガイドプレート３と、ガイドプレート３に密着した複数枚の板状ワーク１，１…を所定圧で押圧する押圧手段４と、押圧手段４により押圧されてガイドプレート３に面接触する端（先頭）の板状ワーク１を切り出し位置まで押し出す切り出しプレート５と、切り出しプレート５を所定の押圧力と速度で切り出し方向に押し出すシリンダ６と、シリンダ６が切り出しプレート５を介して押し出す先頭の板状ワーク１だけが通過できる切り出し出口７などを備えてなる。８は板状ワーク１の切り出し位置である。
【００１４】
密着した複数枚の板状ワーク１，１…は、垂直且つ切り出し方向と平行な状態でスライドプレート２に載置されている。スライドプレート２は、一端２ａを低くし他端２ｂを高くして所定の傾斜角θ（例えば、１７°）を有して支持部材９に固定されている。ガイドプレート３は、切り出し方向と平行なガイド用枠体１０により支持され、スライドプレート２の一端２ａに沿って切り出し方向と平行に立設している。先頭の板状ワーク１は、対向するガイドプレート３のガイド面３ａと面接触している。
【００１５】
押圧手段４は、スライドプレート２上をスライド自在な錘（ウェイト）１１と、ウェイト１１に連結されウェイト１１の押圧力を密着した複数枚の板状ワーク１，１…に伝える押圧部材１２からなる。１３はウェイト１１に装着されたローラで、ウェイト１１が傾斜角θを有するスライドプレート２上を重力の作用によって円滑にガイドプレート３に向かってスライドするためのものである。なお、押圧手段４をシリンダで構成することもできる。そして、押圧部材１２とガイドプレート３により密着した複数枚の板状ワーク１，１…が挟持される。
【００１６】
切り出しプレート５は、図３に示すように、略Ｌ字形状に形成され、スライド面５ａと押し出し面５ｂを備えている。そして、切り出しプレート５は、ガイド用枠体１０のガイド溝１４に摺動自在に嵌装され、スライドプレート２とガイドプレート３の間に配設されている。ガイドプレート３に面接触する先頭の板状ワーク１は、切り出しプレート５により支持され、ガイドプレート３に沿って切り出し位置８まで押し出される。
【００１７】
先頭の板状ワーク１が切り出される際には、図４に示すように、板状ワーク１は、その面１ａをガイドプレート３のガイド面３ａに面接触させ、その水平側部１ｂを切り出しプレート５のスライド面５ａに当接させ、その垂直側部１ｃを切り出しプレート５の押し出し面５ｂに当接させている。そして、これらの三面３ａ，５ａ，５ｂにより、板状ワーク１は切り出し姿勢を安定させた状態で保持されている。
【００１８】
シリンダ６は、ガイド用枠体１０に取り付けられ、制御バルブ（不図示）により前進動作と後退動作が交互に切り換わるようになっている。シリンダ６のストロークは、複数種類の大きさの板状ワーク１に対応できるように設定されている。切り出し出口７は、ガイド用枠体１０に設けられ、スリット状の開口７ａを有している。スリット状の開口７ａには、１枚の板状ワーク１が通過することができる間隙７ｂが形成されている。なお、開口７ａの縦方向の長さＬをある程度長くしておけば、厚みが同等で大きさが異なる複数種類の板状ワーク１に対応することができる。そして、三面３ａ，５ａ，５ｂで保持された先頭の板状ワーク１は、シリンダ６の前進動作により切り出し出口７の開口７ａを通過した後に切り出し位置８まで排出される。
【００１９】
以上のように構成された本発明に係る切り出し装置の動作及び本発明に係る切り出し方法について説明する。先ず、密着した複数枚の板状ワーク１，１…を、垂直且つ切り出し方向と平行な状態にしてスライドプレート２に載置する。そして、先頭の板状ワーク１の面１ａをガイドプレート３のガイド面３ａに面接触状態にする。この時、シリンダ６のピストンロッドは後退動作により後退端に位置しているので、切り出しプレート５も後退端に位置している。
【００２０】
次いで、押圧部材１２を最後尾の板状ワーク１に当接させ、押圧部材１２と連結しているウェイト１１をスライドプレート２に載置する。すると、密着した複数枚の板状ワーク１，１…の自重とウェイト１１の荷重により、先頭の板状ワーク１の面１ａがガイドプレート３のガイド面３ａに所定圧で面接触すると共に、先頭の板状ワーク１の水平側部１ｂが切り出しプレート５のスライド面５ａに載置する。この時、先頭の板状ワーク１の垂直側部１ｃは、切り出しプレート５の押し出し面５ｂに近接して対向する状態になっている。
【００２１】
次いで、シリンダ６が所定の押圧力で前進動作を開始すると、ガイドプレート３のガイド面３ａと二番目の板状ワーク１に挟まれた先頭の板状ワーク１は、その面１ａをガイド面３ａに面接触した状態、その水平側部１ｂを切り出しプレート５のスライド面５ａに載置した状態、その垂直側部１ｃを切り出しプレート５の押し出し面５ｂに当接した状態になる。これら三面３ａ，５ａ，５ｂにより安定した切り出し姿勢を保持しながら、先頭の板状ワーク１は、ガイド面３ａと二番目の板状ワーク１の面１ａを摺動して切り出し位置８へ移動する。そして、ピストンロッドが前進端に到達すると、図５に示すように、切り出し出口７の開口７ａを通過した先頭の板状ワーク１のみが、切り出し位置８に位置決めされる。
【００２２】
次いで、シリンダ６が後退動作を開始すると、先頭の板状ワーク１を切り出し位置８に残して、空の切り出しプレート５が後退端に戻る。すると、密着した複数枚の板状ワーク１，１…の自重とウェイト１１の荷重により、二番目の板状ワーク１がスライドし、その面１ａがガイドプレート３のガイド面３ａに所定圧で面接触する。更に、二番目の板状ワーク１の水平側部１ｂが切り出しプレート５のスライド面５ａに載置する。この時、二番目の板状ワーク１の垂直側部１ｃは、切り出しプレート５の押し出し面５ｂに近接して対向する状態になっている。
【００２３】
このような動作を繰り返すことにより、防錆油の塗布により密着した複数枚の板状ワーク１，１…から、一枚ずつ板状ワーク１を所定の切り出し位置に切り出すことができる。また、切り出し装置を左右に設ければ、２枚の異なる板状ワーク１を同時に切り出すことができる。更に、切り出し装置をユニット化し、増設可能にすれば、複数枚の板状ワーク１を切り出すことができる。
【産業上の利用可能性】
【００２４】
簡易な構成で、防錆油の塗布により密着した複数枚の板状ワークの端から１枚ずつ板状ワークを切り出す作業が可能になり、更に改造することなく複数種類の板状ワークにも対応可能なので、利用拡大が期待される。
【図面の簡単な説明】
【００２５】
【図１】本発明に係る切り出し装置の概要斜視図
【図２】本発明に係る切り出し装置の正面図
【図３】密着した複数枚の板状ワークと切り出しプレートとの関係を示す斜視図
【図４】ガイドプレートと切り出しプレートの作用説明図
【図５】板状ワークが切り出された状態を示す概要斜視図
【符号の説明】
【００２６】
１…板状ワーク、１ａ…面、１ｂ…水平側部、１ｃ…垂直側部、２…スライドプレート、３…ガイドプレート、３ａ…ガイド面、４…押圧手段、５…切り出しプレート、５ａ…スライド面、５ｂ…押し出し面、６…シリンダ、７…切り出し出口、８…切り出し位置、１１…錘（ウェイト）。
【図１】
2008290802.tif 000003
【図２】
2008290802.tif 000004
【図３】
2008290802.tif 000005
【図４】
2008290802.tif 000006
【図５】
2008290802.tif 000007